(57)【要約】      （修正有）【課題】気候をシミュレートするシーン変化機能を備える植物成長灯を提供する。【解決手段】シーン変化機能を備える植物成長灯は、トレイ体１に収容設置空間１２、貯水空間１３及びスピーカー１７を設置し、ランプシェード２に固定空間２２を設置する。光照射ユニット３には回路基板３１を設置し、回路基板の頂、底部には複数の第一発光部材３２及び第二発光部材３３をそれぞれ設置する。回路基板は第一発光部材と第二発光部材が共にそれぞれ異なる波長の光線を発するようコントロールする。給水ユニット４は水管４１を有し、光照射ユニットのコントロールを受ける。水管４１には収容設置空間１２に向かう出水端４２を設置する。給電ユニット６はスピーカー１７、光照射ユニット３、給水ユニット４及びセンサー５に電力を供給する。センサー５は感知を受けスピーカー、光照射ユニット及び給水ユニットを触発し、気候を模擬するシーン変化を生じさせる。【選択図】図２
0003203766.tif 000002
【実用新案登録請求の範囲】
【請求項１】
シーン変化機能を備える植物成長灯であって、トレイ体、ランプシェード、光照射ユニット、給水ユニット、センサーを有し、
前記トレイ体には、隔板を設置し、収容設置空間と貯水空間を区画し、前記隔板上には、複数の排水孔を設置し、前記収容設置空間と前記貯水空間とは、相互に貫通し、前記トレイ体の底部には、スピーカーを設置し、
前記ランプシェードは、前記トレイ体の上方位置に設置され、前記ランプシェードには、支柱を設置し、前記支柱は、前記トレイ体に固定され、前記ランプシェードは、光を透過でき、前記ランプシェードには、固定空間を設置し、
前記光照射ユニットは、前記固定空間内に設置され、前記光照射ユニットには、回路基板を設置し、前記回路基板の頂部には、複数の第一発光部材を設置し、前記回路基板の底部には、複数の第二発光部材を設置し、前記回路基板は、前記第一発光部材が異なる色の光線を発するようコントロールし、前記第二発光部材が異なる波長の光線を発するようコントロールし、
前記給水ユニットは、前記貯水空間内に設置され、前記給水ユニットは、水管を連接して設置し、前記水管には、少なくとも１個の出水端を設置し、前記出水端は、前記収容設置空間の上方に位置し、
前記センサーは、前記ランプシェードに設置され、前記センサーは、前記スピーカー、前記光照射ユニット、前記給水ユニットにそれぞれ信号を連接し、前記センサーは感知を受け取ると、前記スピーカーが雷音を発するよう触発し、前記光照射ユニットが上述の光線の変化を生じるよう触発し、前記給水ユニットが吸水を開始するよう起動し、
前記給電ユニットは、前記固定空間内に設置され、前記給電ユニットは、前記光照射ユニット、前記給水ユニット、前記スピーカー及び前記センサーにそれぞれ電気的に連接されることを特徴とするシーン変化機能を備える植物成長灯。
【請求項２】
前記トレイ体は、前記貯水空間の上方位置に、注水孔を設置し、前記注水孔には、封鎖キャップを設置することを特徴とする請求項１に記載のシーン変化機能を備える植物成長灯。
【請求項３】
前記ランプシェードは、雲の形状を呈して設置されることを特徴とする請求項１に記載のシーン変化機能を備える植物成長灯。
【請求項４】
前記第一発光部材は、ＬＥＤで、前記第二発光部材は、ＬＥＤであることを特徴とする請求項１に記載のシーン変化機能を備える植物成長灯。
【請求項５】
前記給水ユニットは、ポンプであることを特徴とする請求項１に記載のシーン変化機能を備える植物成長灯。
【請求項６】
前記出水端は、第一出水端及び第二出水端を有し、前記第一出水端は、前記トレイ体の収容設置空間上方に位置することを特徴とする請求項１に記載のシーン変化機能を備える植物成長灯。
【請求項７】
前記ランプシェードの底部には、円環状の集水道を設置し、前記集水道の最低位置には、複数の漏水孔を設置し、前記回路基板は、前記集水道の中央位置に固定され、
前記第二出水端には、複数の出水孔を設置し、前記出水孔は、前記集水道の上方に位置することを特徴とする請求項６に記載のシーン変化機能を備える植物成長灯。
【請求項８】
前記出水孔と前記回路基板とは、ずらして設置されることを特徴とする請求項７に記載のシーン変化機能を備える植物成長灯。
【請求項９】
前記センサーの感知方式は、赤外線感知、超音波感知、光電感知、ＲＦＩＤ感知、電磁波感知或いはレーダー感知であることを特徴とする請求項１に記載のシーン変化機能を備える植物成長灯。
【請求項１０】
前記給電ユニットは、乾電池、充電電池、リチウム電池、ソーラー電池或いはプラグにより電源に接続することを特徴とする請求項１に記載のシーン変化機能を備える植物成長灯。
【考案の詳細な説明】
【技術分野】
【０００１】
本考案はシーン変化機能を備える植物成長灯に関する。
【背景技術】
【０００２】
現在植物の栽培は、屋外から室内へと移ってきている。
そのため、屋外の日照の機能を真似た植物灯が開発され、植物の成長を促す照射が行われている。
【０００３】
植物灯構造には、２０１４年８月２１日に台湾で公告された特許文献１「光質を調整できる植物成長灯」がある。
それは、本体上に少なくとも１個の青に近い植物灯源、及び少なくとも１個の赤に近い植物灯源を設置する。
各青に近い植物灯は、通電後に、植物成長に適した青に近い連続スペクトルの白色光植物光波を生じ、各赤に近い植物灯源は、通電後に、適合植物成長に適した赤に近い連続スペクトルの白色光植物光波を生じる。
これにより、植物の成長段階に応じて、各段階に必要な光質の植物成長灯を発することができる。
【０００４】
特許文献１は、異なる波長転換を利用し、異なる光線を発し、異なる成長段階及び異なる品種の植物に適した照射を行う。
但し、それは異なる光線波長転換の使用機能のみを備える。
現在では、植物栽培に対するニーズが、徐々に高級化に向かっており、しかも狭い空間で個人が栽培できるものが求められている。
特に、家庭内、或いはオフィスに置き観賞用とする場合には、使用者の栽培管理を簡単にし、栽培に気を配る必要がなく、自主管理できるものが最良の構造として求められている。
【０００５】
２０１４年９月１１日に台湾で公告された特許文献２「景観ランプ」は、上蓋、底台、光透過カバー及び植栽台を有する。
光透過カバーは、中空筒状構造で、その両端面は、上蓋と底台に設置し、上蓋、光透過カバーと底台は、収容設置空間を形成する。
植栽台は、底台に設置し、しかも収容設置空間内に位置する。
発光モジュールは、収容設置空間内に設置し、収容設置空間を照らす。
これにより、収容設置空間内に設置される植栽台は、発光モジュールの照射を受け、灯光視覚効果を備える。
特許文献２は、給水器をさらに有し、上蓋に固定して設置され、しかも給水器は、集水容器及び水遣り部材を有する。
集水容器は、上蓋外に設置され、しかも水遣り部材は、上蓋内に設置され、しかも集水容器と相互に固定される。
【０００６】
前記した特許文献は、自動的に植物に光の照射と水遣り等の自主管理の機能を提供でき、及び家庭内或いはオフィス内に置き、観賞用とすることができる。
だが、乏シーン変化多様性の選択を欠いているため、単調な嫌いがあり、面白味を備えず、よって理想的とは言えない。
【先行技術文献】
【特許文献】
【０００７】
【特許文献１】台湾特許第Ｍ４８４３００号明細書
【特許文献２】台湾特許第Ｍ４８６００２号明細書
【考案の概要】
【考案が解決しようとする課題】
【０００８】
本考案の目的は、気候をシミュレーションするシーン変化を生じ、これにより面白味を高められる植物灯構造であるシーン変化機能を備える植物成長灯を提供することにある。
【０００９】
本考案によるシーン変化機能を備える植物成長灯は、トレイ体、ランプシェード、光照射ユニット、給水ユニット、センサーを有する。
該トレイ体には、隔板を設置し、収容設置空間と貯水空間を区画し、該隔板上には、複数の排水孔を設置し、該収容設置空間と該貯水空間とは、相互に貫通し、該トレイ体の底部には、スピーカーを設置する。
該ランプシェードは、該トレイ体の上方位置に設置され、該ランプシェードには、支柱を設置し、該支柱は、該トレイ体に固定され、該ランプシェードは、光を透過でき、該ランプシェードには、固定空間を設置する。
該光照射ユニットは、該固定空間内に設置され、該光照射ユニットには、回路基板を設置し、該回路基板の頂部には、複数の第一発光部材を設置し、該回路基板の底部には、複数の第二発光部材を設置し、該回路基板は、該第一発光部材が異なる色の光線を発するようコントロールし、該第二発光部材が異なる波長の光線を発するようコントロールする。
該給水ユニットは、該貯水空間内に設置され、該給水ユニットは、水管を連接して設置し、該水管には、少なくとも１個の出水端を設置し、該出水端は、該収容設置空間の上方に位置する。
該センサーは、該ランプシェードに設置され、該センサーは、該スピーカー、該光照射ユニット、該給水ユニットにそれぞれ信号を連接し、該センサーは感知を受け取ると、該スピーカーが雷音を発するよう触発し、該光照射ユニットが上述の光線の変化を生じるよう触発し、該給水ユニットが吸水を開始するよう起動する。
該給電ユニットは、該固定空間内に設置され、該給電ユニットは、該光照射ユニット、該給水ユニット、該スピーカー及び該センサーにそれぞれ電気的に連接される。
【００１０】
本考案においてトレイ体は、該貯水空間の上方位置に、注水孔を設置し、該注水孔には、封鎖キャップを設置する。
該ランプシェードは、雲の形状を呈して設置される。
【００１１】
本考案において該第一発光部材は、ＬＥＤで、該第二発光部材は、ＬＥＤである。
【００１２】
本考案において該給水ユニットは、ポンプである。
【００１３】
本考案において該出水端は、第一出水端及び第二出水端を有し、該第一出水端は、該トレイ体の収容設置空間上方に位置する。
【００１４】
本考案において該ランプシェードの底部には、円環状の集水道を設置し、該集水道の最低位置には、複数の漏水孔を設置し、該回路基板は、該集水道の中央位置に固定され、該第二出水端には、複数の出水孔を設置し、該出水孔は、該集水道の上方に位置する。
【００１５】
本考案において該出水孔と該回路基板とは、ずらして設置される。
【００１６】
本考案において該センサーの感知方式は、赤外線感知、超音波感知、光電感知、ＲＦＩＤ感知、電磁波感知或いはレーダー感知である。
【００１７】
本考案において該給電ユニットは、乾電池、充電電池、リチウム電池、ソーラー電池或いはプラグにより電源に接続する。
【考案の効果】
【００１８】
本考案は、以下の長所を備える。
1.本考案は、第一発光部材の光線色変化を利用し、気候を模擬する変化を生じる。
2.本考案は、第二発光部材の異なる波長の光線変化を利用し、植物に照射し、これにより植物の迅速な成長を助ける。
3.本考案は、給水ユニットの定時の吸水及び水遣りをコントロールし、植物に水分を吸收させ、これによりその成長を助ける。
4.本考案はさらに第一発光部材、第二発光部材及び給水ユニットを同時に作動させられ、スピーカーの雷の音響効果を対応させ、気候のシーン変化を模擬し、これにより植物栽培時の多様化及び面白味を高めることができる。
【図面の簡単な説明】
【００１９】
【図１】本考案の立体外観図である。
【図２】本考案の組合せ断面図である。
【図３】本考案出水孔と回路基板とをずらして設置する様子の模式図である。
【図４】本考案の使用模式図である。
【図５】本考案において、人が接近すると触発され、シーン変化を生じる様子を示す模式図である。
【図６】本考案による持続循環水遣りの模式図である。
【考案を実施するための形態】
【００２０】
先ず、図１及び図２に示す通り、本考案実施形態は、トレイ体１、ランプシェード２、光照射ユニット３、給水ユニット４、センサー５及び給電ユニット６を有する。
【００２１】
トレイ体１には、隔板１１を設置し、これにより収容設置空間１２と貯水空間１３を区画する。
隔板１１上には、複数の排水孔１４を設置し、これにより収容設置空間１２と貯水空間１３とは、相互に貫通する。
トレイ体１の貯水空間１３に近い上方位置には、注水孔１５を設置し、これにより貯水空間１３に水を注入し、注水孔１５内には、封鎖キャップ１６を設置し、注水孔１５を封鎖する。
トレイ体１の底部には、スピーカー１７を設置する。
【００２２】
ランプシェード２には、中空の支柱２１を設置し、これによりトレイ体１の上方位置に固定する。
ランプシェード２は、雲の形状を呈し、しかも光透過可能な材質により製造する。
ランプシェード２の内部には、固定空間２２を設置する。
ランプシェード２の底部には、円環状の集水道２３を設置し、集水道２３の最低位置には、複数の漏水孔２４を設置する。
【００２３】
光照射ユニット３は、ランプシェード２に設置される。
光照射ユニット３には、コントロール作用を備える回路基板３１を設置する。
回路基板３１は、ランプシェード２の集水道２３の中央位置に固定される。
回路基板３１の頂部には、複数の第一発光部材３２を設置し、回路基板３１の底部には、複数の第二発光部材３３を設置する。
各第一発光部材３２及び各第二発光部材３３は、それぞれＬＥＤである。
回路基板３１は、異なる回路を有し、異なる色の光線を発するよう各第一発光部材３２をコントロールし、また異なる波長の光線を発するよう各第二発光部材３３をコントロールし、これにより異なる品種及び異なる成長段階の植物が必要とする光線を発することができる。
【００２４】
給水ユニット４は、トレイ体１の貯水空間１３内に設置され、給水ユニット４は、ポンプである。
給水ユニット４は、触発コントロールを受け、貯水空間１３内の水を吸水する。
給水ユニット４は、水管４１に連接して設置し、水管４１には、第一出水端４２及び第二出水端４３を設置する。
第一出水端４２は、トレイ体１の収容設置空間１２の上方に位置する。
水管４１は延伸し、中空の支柱２１を通過し、第二出水端４３は、ランプシェード２の固定空間２２内に位置する。
第二出水端４３には、複数の出水孔４４を設置する。
各出水孔４４は、集水道２３の上方に位置し、光照射ユニット３の回路基板３１とずらして設置される（図３参照）。
【００２５】
センサー５は、ランプシェード２上の適当な位置に設置される。
その位置は、人がランプシェード２に近づき、感知される方位が最良である。
センサー５は、信号が、それぞれ光照射ユニット３、給水ユニット４及びスピーカー１７に連接する。
これにより、センサー５は感知を受けた後、光照射ユニット３を触発しシーン変化を生じ、及び給水ユニット４を触発し吸水を開始し、及びスピーカー１７を触発し雷音のシーン変化を生じる。
センサー５の感知方式は、赤外線感知、超音波感知、光電感知、ＲＦＩＤ感知、電磁波感知或いはレーダー感知である。
【００２６】
給電ユニット６は、ランプシェード２の固定空間２２内に設置される。
給電ユニット６は、スピーカー１７、光照射ユニット３、給水ユニット４及びセンサー５にそれぞれ電気的に連接し、その作動時に必要とする電力を供給する。
給電ユニット６は、乾電池、充電電池、リチウム電池或いはソーラー電池で、異なる電力ニーズを提供でき、またプラグで、室内の交流電源に接続し、十分な電力を提供することができる。
【００２７】
使用時には、図４に示す通り、先ずトレイ体１の注水孔１５の封鎖キャップ１６を取り外し、注水孔１５から適量の水Ａを貯水空間１３内に注水して貯水する。
次に、封鎖キャップ１６を閉め、水Ａの蒸発を防ぐ。
収容設置空間１２内には、植木鉢Ｂを置く。
植木鉢Ｂは、好みに応じて、隨時交換することができる。
植木鉢Ｂ内では、植物Ｃを栽培する。
トレイ体１を室内の適当な位置におけば、景観インテリア及び観賞に用いることができる。
【００２８】
光照射ユニット３の回路基板３１により、その頂部の第一発光部材３２が適当な色の光線を発するようにコントロールし、しかも定時に異なる色の変化を生じることができる。
さらに、異なる植物Ｃの品種或いは成長段階に応じて、その底部の第二発光部材３３が異なる波長の光線を発するようにコントロールし、これにより植物Ｃの成長に適した光線を発し、しかも毎日適当な照射時間を調整でき、これにより植物Ｃの迅速な成長を助けることができる。
【００２９】
図５、図６に示す通り、人がトレイ体１に近づいた時には、ランプシェード２上のセンサー５は、人の接近を感知し、光照射ユニット３の回路基板３１に信号を伝送し、触発してシーン変化を生じさせる。
本実施形態のシーン変化は、気候変化の模擬を主とする。
回路基板３１は、第一発光部材３２に異なる色の光線変化を発するようにコントロールする。
例えば、黒雲変化の色を模擬し、第一発光部材３２が発する白色光線は灰色光線に変化し、光透過可能な雲形状のランプシェード２は、白雲から黒雲に転換する色の変化を形成する。
【００３０】
同時に、光照射ユニット３の回路基板３１はさらに、適当な数の第一発光部材３２に間歇性の点滅白色光を発するようにコントロールし、これにより雷が光るシーン変化を模擬することができる。
しかも、センサー５はスピーカー１７を触発し雷音のシーン変化を発し、同期に第一発光部材３２に対応し、雷が光るシーン変化を発する。
【００３１】
同時に、回路基板３１は、第二発光部材３３が植物Ｃの成長を助ける光線を発するようにコントロールする他に、第一発光部材３２の変化に同期に対応し、異なる色変化を発し、これによりそのシーン変化の効果を増強できる。
例えば、光線を暗くし、これにより曇天或いは雨天時の周囲環境の光線変化を模擬することができる。
【００３２】
続いて、センサー５は同時に給水ユニット４を触発して起動し、給水ユニット４が貯水空間１３内の水Ａを吸水するようコントロールする。
これにより、吸水された水Ａは、水管４１により送られ、第一出水端４２より流出する。
さらに、水管４１を経て第二出水端４３の各出水孔４４から噴出し、しかも集水道２３の複数の漏水孔２４を経て、水Ａはトレイ体１収容設置空間１２内植木鉢Ｂの植物Ｃ上に撒かれ、これにより降雨のシーン変化を模擬することができる。
植木鉢Ｂ内に撒かれた水Ａは、植物Ｃの根により吸收され、これによりその成長を助ける。
【００３３】
植木鉢Ｂ内の余分な水Ａは流出し、収容設置空間１２を経て隔板１１上の排水孔１４を通り、貯水空間１３内に戻り、再び集めて貯水される。
こうして、持続的に循環し、給水ユニット４は吸水して使用される。
【００３４】
模擬シーン変化全体が、適当な時間に至ると、光照射ユニット３の回路基板３１は、第一発光部材３２の灯光色の変化を停止するようコントロールし、元の白色光線の照射に戻り、及びスピーカー１７が雷の音を停止するようコントロールする。
同時に、給水ユニット４も吸水及び水遣りの動作を停止し、シーン変化全体の展示を終了する。
次に人がセンサー５に近づき、感知されると、再び上述のシーン変化を繰り返し、これにより多様化したシーン変化を備え、植物Ｃ栽培の面白味を高めることができる。
【００３５】
本実施形態の上述のシーン変化は、各第一発光部材３２及び各第二発光部材３３の光線色変化、スピーカー１７が発する雷の音響効果を含み、給水ユニット４により吸水及び水遣りの組合せのシーン変化を含む。
【００３６】
本実施形態では、第一発光部材３２が単独の光線色変化を生じ、これにより気候変化を模擬することもできる。
或いは、第二発光部材３３が単独の光線色変化を生じ、これにより植物Ｃの迅速な成長を助けることもできる。
或いは、スピーカー１７だけが雷の音響効果を発することもできる。
或いは、給水ユニット４が定時に自動吸水及び水遣りするよう単独でコントロールでき、これにより植物Ｃの成長を維持するよう助けることもできる。
以上はすべて本考案の実施形態の一つである。
【００３７】
前述した本考案の実施形態は本考案を限定するものではなく、よって、本考案により保護される範囲は後述される実用新案登録請求の範囲を基準とする。
【符号の説明】
【００３８】
１  トレイ体
１１  隔板
１２  収容設置空間
１３  貯水空間
１４  排水孔
１５  注水孔
１６  封鎖キャップ
１７  スピーカー
２  ランプシェード
２１  支柱
２２  固定空間
２３  集水道
２４  漏水孔
３  光照射ユニット
３１  回路基板
３２  第一発光部材
３３  第二発光部材
４  給水ユニット
４１  水管
４２  第一出水端
４３  第二出水端
４４  出水孔
５  センサー
６  給電ユニット
Ａ  水
Ｂ  植木鉢
Ｃ  植物
【図１】
0003203766.tif 000003
【図２】
0003203766.tif 000004
【図３】
0003203766.tif 000005
【図４】
0003203766.tif 000006
【図５】
0003203766.tif 000007
【図６】
0003203766.tif 000008